(57)【特許請求の範囲】
【請求項１】
ＮＣプログラムにより実際の生産設備で被加工物を加工して得られる加工実績データを含む加工プロセス情報であって、前記ＮＣプログラムによる加工中に、運転員が個々の機器の特質や使用環境状況を考慮して設定した加工条件を含む加工プロセス情報を基に生産加工効率が高い加工条件を抽出し、ＣＡＤ／ＣＡＭ手段の加工情報にフィードバックすることで生産加工効率が高いＮＣプログラムを生成する加工プロセス監視システムであって、
上記実際の生産設備での被加工物の加工と同時に上記生産設備の制御装置から伝送された上記加工プロセス情報を収集する情報収集手段と、
上記ＮＣプログラムの生成に用いた複数の初期加工条件を含む初期加工情報を記憶すると共に、上記加工プロセス情報を蓄積するための記憶媒体と、
上記記憶媒体に記憶された上記初期加工情報に含まれる上記初期加工条件と上記蓄積された上記加工プロセス情報に含まれる加工条件とを比較し、上記初期加工条件と上記加工プロセス情報に含まれる加工条件が異なり、上記加工プロセス情報に含まれる加工条件が上記初期加工条件よりも生産加工効率が高い加工条件である場合に、上記加工プロセス情報に含まれる加工条件を選択するデータ比較手段と、
上記データ比較手段により選択された上記加工プロセス情報に含まれる加工条件に基づいて、上記ＮＣプログラムを修正するＣＡＤ／ＣＡＭ手段と、
上記ＣＡＤ／ＣＡＭ手段により修正されたＮＣプログラムに基づいた加工情報を上記生産設備の制御装置に情報を伝達するための情報伝達手段とを備えることを特徴とする加工プロセス監視システム。
【請求項２】
請求項１記載の加工プロセス監視システムにおいて、上記生産設備の制御装置と、情報収集手段及び情報伝達手段とは双方向通信可能な電気通信回線を通じて接続されていることを特徴とする加工プロセス監視システム。
【請求項３】
ＮＣプログラムにより実際の生産設備で被加工物を加工して得られる加工実績データを含む加工プロセス情報であって、前記ＮＣプログラムによる加工中に、運転員が個々の機器の特質や使用環境状況を考慮して設定した加工条件を含む加工プロセス情報を、上記実際の生産設備での被加工物の加工と同時に、伝送手段を介して伝送する生産設備制御手段と、
上記実際の生産設備での被加工物の加工と同時に上記生産設備制御手段から伝送された加工情報を収集する加工情報収集手段と、
上記ＮＣプログラムの生成に用いた複数の初期加工条件を含む初期加工情報を記憶すると共に、上記加工情報収集手段により収集された加工プロセス情報を蓄積する加工情報記憶手段と、
上記加工情報記憶手段に蓄積された上記加工プロセス情報に含まれる加工条件と上記初期加工情報に含まれる上記初期加工条件とを互いに対比する対比情報を表示する表示手段と、
上記表示手段に表示された対比情報に基づいて決定される加工条件であって、上記初期加工条件と上記加工プロセス情報に含まれる加工条件が異なり、上記加工プロセス情報に含まれる加工条件が上記初期加工条件よりも生産加工効率が高い加工条件である場合に、上記加工プロセス情報に含まれる加工条件に従って上記ＮＣプログラムを修正する修正処理手段と、
上記修正処理部により修正されたＮＣプログラムを上記生産設備制御手段に、伝送手段を介して伝送するデータ送信手段とを備えることを特徴とする加工プロセス監視システム。
【請求項４】
請求項３記載の加工プロセス監視システムにおいて、上記生産設備制御手段と、加工情報収集手段及び上記データ伝送手段とは双方向通信可能な電気通信回線を通じて接続されていることを特徴とする加工プロセス監視システム。
【発明の詳細な説明】
【技術分野】
【０００１】
本発明は、生産設備の加工プロセス情報を収集し、収集した情報を生産プログラムにフィードバックする加工プロセス監視システムに関する。
【背景技術】
【０００２】
生産設備の状態などを監視するシステムは、生産設備の制御に関する情報の中で、主にセンサーからの入力信号や、アラーム信号、など各種検出器からの情報または数値制御装置からの情報を、シーケンサなどを介して、ネットワークにより遠隔の監視用ＰＣまたは監視用サーバーに伝送する。
【０００３】
監視用ＰＣや監視用サーバーでは、汎用ＳＣＡＤＡ（Supervisory Control and Data Acquisition）ソフトにより、設備の稼働状況をグラフィカルに表示し、設備の稼動時間の分析や、生産数の把握などを行う。
【０００４】
また、設備の異常やアラーム等の原因分析、故障履歴分析など設備保全などの機能も備える。
【０００５】
また、試作工程の効率を高めるため、試作部品の加工時のデータをホストコンピュータに伝送して、ＣＡＤデータと比較し、部品の寸法形状等が適切に行われるための加工過程における改善情報を得る技術が特許文献１に記載されている。
【０００６】
【特許文献１】特開２００３−２７１２１１号公報
【発明の開示】
【発明が解決しようとする課題】
【０００７】
しかしながら、従来の技術においては、加工部品が適切な寸法形状に加工するための加工条件の設定については可能であるものの、適切な寸法形状に加工した上で、生産性を向上するための加工条件のフィードバックについては、何ら考慮されていない。
【０００８】
生産性向上を図るためのアプローチとして、生産に必要な加工プログラムの加工条件値をシミュレーターによって求める方法も考えられるが、使用する加工機器や使用環境の相違により、実際の加工に適用でき、且つ、より生産効率の高い加工条件値を導き出すことは難しい。現状は、実機による加工を行いながら、運転員が目視など五感を駆使して加工状況を確認し、送り速度や主軸の回転数などの加工条件を調整することが多い。
【０００９】
特に、この調整作業は熟練を要するため、生産性の向上を図るためには、熟練した運転員が不可欠であり、近年の熟練運転員の激減は、生産性の向上や、技能の伝承を図る上で大きな課題となっている。
【００１０】
そこで、ＮＣ機を多用した生産ショップにおける生産効率の向上を図るための一つの方法として、生産設備から設備の状態を示す情報を自動的に取得する手段を用い、取得した情報の中から比較的、生産性が高いと思われる加工条件データを見つけ出し、元のＮＣプログラムに対し、見つけ出した諸元値を再定義する方法が考えられる。
【００１１】
この場合、監視用サーバーに保存された、実際に加工中の設備の状態または加工の状況を示す加工プロセス情報と、実際の加工に使用したＮＣプログラムとの、加工プロセスをリンクさせる必要がある。
【００１２】
しかしながら、加工開始時間もしくは加工開始スイッチの操作記録などによるデータの開始位置を特定することはできるが、加工プロセス情報中のＮＣプログラム推移を示す情報が無い場合、加工プロセス情報とＮＣプログラムとの完全なリンクは困難である。
【００１３】
また、加工プロセス情報中にＮＣプログラムの推移を示す情報がある場合でも、データ量が多いことや、加工プロセス情報は１６進数やバイナリーコードで表されているため、コードの変換が必要であること、さらに、その後の加工プロセス情報とＮＣプログラムとを関連付ける作業は非常に煩雑であった。
【００１４】
さらに、送り速度や、主軸の回転数など複数の加工条件データを抽出し、比較する手間と、その結果を、ＣＡＤ／ＣＡＭシステムへフィードバックするため、手入力で加工情報を入力する手間などから、現実的に加工プロセス情報からＮＣプログラムを生成することが困難であった。
【００１５】
さらに、生産設備から設備の状態を示す情報を自動的に取得する手段が無い場合など、高効率な加工条件データを抽出するため、熟練した運転員等が、加工中の状況を、つぶさに確認し、最良であると思われる加工条件値を紙等に記録する方法が考えられる。
【００１６】
しかし、この場合は、運転員以外に記録員が必要となり２倍の人件費がかかることになる。
【００１７】
また、加工プロセスに対して、完全にリンクした加工条件値を記録することは困難であり、また、記録員を必要としないビデオカメラによる記録も同様に加工プロセスとの完全なリンクは困難である。
【００１８】
本発明の目的は、生産性の向上に最適な、熟練員の加工条件設定値を選択して再現可能な、加工プロセス監視システムを実現することである。
【課題を解決するための手段】
【００１９】
本発明によれば、初期設定時の加工プログラムの加工条件では、設定し得ない、熟練者の加工設定条件（個々の機器の特質、使用環境状況等により決定される条件）を実際の熟練者の条件設定を行うことで取得し、これを記憶して、初期加工条件とを比較するために両加工条件を、ＮＣプログラムの推移と対応して表示する。
【００２０】
そして、両加工条件を比較して、生産加工効率が高い加工条件を選択して、その条件となるように、ＮＣプログラムを修正する。以降は、修正されたＮＣプログラムに従って、加工を実行すれば、熟練者によらずとも、高効率な加工を行うことができる。
【００２１】
つまり、本発明は、上記目的を達成するため、次のように構成される。
（１）ＮＣプログラムにより実際の生産設備で被加工物を加工して得られる加工実績データを含む加工プロセス情報であって、前記ＮＣプログラムによる加工中に、運転員が個々の機器の特質や使用環境状況を考慮して設定した加工条件を含む加工プロセス情報を基に生産加工効率が高い加工条件を抽出し、ＣＡＤ／ＣＡＭ手段の加工情報にフィードバックすることで生産加工効率が高いＮＣプログラムを生成する加工プロセス監視システムであって、
上記実際の生産設備での被加工物の加工と同時に上記生産設備の制御装置から伝送された上記加工プロセス情報を収集する情報収集手段と、
上記ＮＣプログラムの生成に用いた複数の初期加工条件を含む初期加工情報を記憶すると共に、上記加工プロセス情報を蓄積するための記憶媒体と、
上記記憶媒体に記憶された上記初期加工情報に含まれる上記初期加工条件と上記蓄積された上記加工プロセス情報に含まれる加工条件とを比較し、上記初期加工条件と上記加工プロセス情報に含まれる加工条件が異なり、上記加工プロセス情報に含まれる加工条件が上記初期加工条件よりも生産加工効率が高い加工条件である場合に、上記加工プロセス情報に含まれる加工条件を選択するデータ比較手段と、
上記データ比較手段により選択された上記加工プロセス情報に含まれる加工条件に基づいて、上記ＮＣプログラムを修正するＣＡＤ／ＣＡＭ手段と、
上記ＣＡＤ／ＣＡＭ手段により修正されたＮＣプログラムに基づいた加工情報を上記生産設備の制御装置に情報を伝達するための情報伝達手段とを備える。
【００２２】
（２）好ましくは、上記（１）において、上記生産設備の制御装置と、情報収集手段及び情報伝達手段とは双方向通信可能な電気通信回線を通じて接続されている。
【００２３】
（３）ＮＣプログラムにより実際の生産設備で被加工物を加工して得られる加工実績データを含む加工プロセス情報であって、前記ＮＣプログラムによる加工中に、運転員が個々の機器の特質や使用環境状況を考慮して設定した加工条件を含む加工プロセス情報を、上記実際の生産設備での被加工物の加工と同時に、伝送手段を介して伝送する生産設備制御手段と、
上記実際の生産設備での被加工物の加工と同時に上記生産設備制御手段から伝送された加工情報を収集する加工情報収集手段と、
上記ＮＣプログラムの生成に用いた複数の初期加工条件を含む初期加工情報を記憶すると共に、上記加工情報収集手段により収集された加工プロセス情報を蓄積する加工情報記憶手段と、
上記加工情報記憶手段に蓄積された上記加工プロセス情報に含まれる加工条件と上記初期加工情報に含まれる上記初期加工条件とを互いに対比する対比情報を表示する表示手段と、
上記表示手段に表示された対比情報に基づいて決定される加工条件であって、上記初期加工条件と上記加工プロセス情報に含まれる加工条件が異なり、上記加工プロセス情報に含まれる加工条件が上記初期加工条件よりも生産加工効率が高い加工条件である場合に、上記加工プロセス情報に含まれる加工条件に従って上記ＮＣプログラムを修正する修正処理手段と、
上記修正処理部により修正されたＮＣプログラムを上記生産設備制御手段に、伝送手段を介して伝送するデータ送信手段とを備える。
【００２４】
（４）好ましくは、上記（３）において、上記生産設備制御手段と、加工情報収集手段及び上記データ伝送手段とは双方向通信可能な電気通信回線を通じて接続されている。
【発明の効果】
【００２５】
生産性の向上に最適な、熟練員の加工条件設定値を選択して再現可能な、加工プロセス監視システムを実現することができる。
【００２６】
また、熟練運転員の操作した生産設備から得られた加工条件データをＮＣプログラムにフィードバックすることにより、熟練を必要としない高効率な加工が可能な生産性の高いＮＣプログラムを生成し、提供することができる。
【発明を実施するための最良の形態】
【００２７】
以下、本発明の実施形態について添付図面を参照して説明する。  
図１は、本発明の実施形態である加工プロセス監視システムの全体構成図である。本発明の加工プロセス監視システムは、イントラネットを利用し、加工プロセス情報、加工情報、及びＮＣプログラムのサーバーを監視対象生産設備と加工プロセス監視システムとで共通化することで、比較的安価なシステムを実現している。
【００２８】
図１に示した加工プロセス監視システムは、監視対象生産設備１０２と、この監視対象生産設備１０２内の設備機器各々の各種情報をイントラネット経由で収集し、加工プロセス情報から高効率加工条件データを抽出・管理する加工プロセス監視システム１００と、この加工プロセス監視システム１００に接続されるＣＡＤ／ＣＡＭシステム１０１とを備えている。
【００２９】
監視対象生産設備１０２は、生産設備を操作するための操作パネル１７と、加工対象物の有無等を検知するセンサ１８と、加工動作を行うアクチュエータ１６と、入出力を制御するＰＬＣ（プログラマブルコントローラ）部１と、サーボモータ１５と、サーボモータ１５を制御する数値制御部１４とを備える。
【００３０】
なお、監視対象生産設備１０２の構成は、ＰＬＣ部１若しくは数値制御部１４のどちらかを備えているか、リレーを組み合わせたシーケンス回路を備えた設備でも良い。
【００３１】
加工プロセス監視システム１００は、伝送路ａを介して監視対象設備１０２と接続され、監視対象設備１０２のＰＬＣ部１から情報収集子局２を介して、加工プロセス情報を情報収集基地局３へ伝送する。なお、伝送路ａは、通常、有線式であるが、配線が困難な生産設備に対しては無線式を用いることができる。
【００３２】
情報収集基地局３は、生産ショップ単位あるいはエリア単位で配置すると良い。また、加工プロセス監視システム１００は、複数台の情報収集基地局３を備え、さらに基地局１台に対して複数の情報収集子局２を備える。
【００３３】
また、加工プロセス監視システム１００は、図示しない情報収集基地局内メモリに一度蓄積された加工プロセス情報を任意のタイミングもしくは一定間隔で蓄積するための記憶媒体である加工情報ＤＢ（Data Base）６と、この加工情報ＤＢ６から加工プロセス情報及び元ＮＣプログラムを取り出す処理並びに比較処理を行うデータ比較部４とを備える。
【００３４】
また、加工プロセス監視システム１００は、元のＮＣプログラムの加工情報を修正する修正処理部５と、加工情報８をＣＡＤ／ＣＡＭシステム１０１に渡すための加工情報読出し部７とを備える。
【００３５】
さらに、加工プロセス監視システム１００は、ＣＡＤ／ＣＡＭシステムにて生成されたＮＣプログラム１１を加工情報ＤＢ６に格納するための情報書込み部１２と、ＮＣプログラムを監視対象設備１０２の数値制御部１４に転送するためのデータ送信部１３とを備える。
【００３６】
ここで、加工プロセス情報とは、ＰＬＣ部１を経由して得られる、運転員１９により加工条件等が入力される操作パネル１７及びセンサ１８からの入力信号や、アクチュエータ１６の出力信号の他、数値制御部１４からの、軸の負荷電流値、呼出中プログラム番号、実行中プログラム行番号、実行中Ｍコード番号、アラーム番号等の情報、または図示しない監視対象設備に対して外付けした温度センサや、負荷電流測定用ＣＴセンサ、振動センサからのアナログ入力値、被加工物の加工実績（単位時間当たりの加工量又は数量）を言う。情報収集子局２は、上述した加工プロセス情報を収集することができる。
【００３７】
また、情報収集基地局３は、情報収集子局２に対する情報収集のタイミングの設定及び情報の指定を指示する機能を有し、収集した情報は、日付と情報内容を示す記号を組合わせたファイル名を付加し、加工情報ＤＢ６へ定期的に転送する。
【００３８】
情報収集子局２の情報収集のタイミングは、周期的に収集してもよいし、ＰＬＣ部１からの入力信号が入力された時点や、加工プロセス監視システム１００からの制御信号が出力された時間とすることもできる。
【００３９】
また、取得したい情報を指定するには、例えば、図２に示すようなメモリマップ２００に基づき、情報収集基地局３内のメモリアドレスを指定する。取得したい情報と取得タイミングとを決定し、情報の収集が開始されると、情報収集基地局３は、接続された情報収集子局２から加工プロセス情報を取得する。
【００４０】
これら、情報収集基地局３に対する設定は、全て遠隔から伝送路ｂに接続されたＰＣ等から実行可能であるので、わざわざ設置場所へ出向く必要は無い。また、この情報収集基地局３は、図３に示すように、情報収集機器３０１と、無線ユニット３０２と、有線接続端子台３０４と、収集した加工プロセス情報の転送や、収集条件を設定するためのＰＣと接続するためのＬＡＮ接続ポート３０５を備える。
【００４１】
また、情報収集基地局３は、ＡＣ１００Ｖの電源と、ＡＣ１００ＶをＤＣ２４Ｖに変換するためのパワーサプライ３０６とを備え、これらをボックス３００に収納している。
【００４２】
これは、監視対象生産設備１０２の形態に依存しない機器のみを一つのコンパクトなユニットに収納することで標準化を図り、コスト低減と設置費用低減を実現するためである。
【００４３】
また、一時的なプロセス監視を必要とした場合でも、比較的持ち運びが容易で且つ無線ユニット３０２を装備しているので、子局２に無線ユニットを設置すれば、配線不要となり、設置も容易で有効である。
【００４４】
加工プロセス監視システム１００で扱う主要な情報は、加工情報ＤＢ６で管理され、図４に示すように、情報基地子局２から転送される加工プロセス情報４０１は、テキスト形式のデータであり、内容は１６進数で表現される。
【００４５】
また、加工情報４０２は、加工方案・指示から、ＣＡＤ／ＣＡＭ、ＮＣデータまで含む内容である。さらに、ＮＣプログラム４０３は、加工定義データを各機械別のＮＣフォーマット仕様に変換した後のデータである。
【００４６】
また、加工情報ＤＢ６の周辺機能として、加工プロセス情報４０１と加工情報４０２とを比較するデータ比較部４と、比較後の結果を新たな加工情報として修正する修正処理部５と、加工情報４０２をＣＡＤ／ＣＡＭシステム１０１に渡すための加工情報読出し部７と、ＣＡＤ／ＣＡＭシステム１０１によって生成されたＮＣプログラムを加工情報ＤＢ６に書き込むための情報書き込み込み部１２と、ＮＣプログラムを加工情報ＤＢ６から監視対象設備１０２へ伝送するためのデータ送信部１３とがある。加工情報ＤＢ６のこれら周辺機能は、ソフトウェアであり、１台もしくは複数台のＰＣにインストールされ、加工情報ＤＢ６に格納されたデータの処理に使用される。
【００４７】
また、データ比較部４は、情報収集基地局３から取得した、ＮＣプログラムの実行番号、そのプログラムが使用された時間情報等の実際の加工プロセス状況を示す加工プロセス情報４０１と、この加工プロセス情報４０１が得られた加工に使用したＮＣプログラムの加工情報４０２とを、グラフィカルに表示する。データ比較部４による表示により、加工プロセス情報４０１と、加工情報４０２とを比較することができる。
【００４８】
加工プロセス情報４０１には、実行したＮＣプログラム番号が記録されており、加工情報４０２にも予め、ＮＣプログラム番号が記録されている。ＮＣプログラム番号はユニークな番号としているので、両者のデータを結びつけるキーワードとなる。
【００４９】
また、このキーワードはＮＣプログラム番号以外にも、日付や設備名称、通し番号、アルファベットなどを組合わせたものでも良い。
【００５０】
また、加工プロセス情報４０１は１６進数で表現されており、人が見て理解し易くするため、一度、２進数に展開し、図２に示したメモリマップ２００に従い１０進数の加工条件データに変換する。これにより、加工プロセス情報４０１と加工情報４０２との比較をし易くしている。
【００５１】
加工プロセス情報４０１と加工情報４０２との比較作業は、図５に示す表示画面１０３のように、この画面左側にＮＣプログラムを表示させ、その右側に、ＰＣ画面上のプルダウンメニューから選択した比較対象データの元データ（破線）と熟練者による加工実績データ（実線）を重ね合わせ、グラフ表示している。このとき、重ね合わせをせず、元データと加工実績データとを別個に並べて表示しても良い。
【００５２】
さらに、画面右に、元データと加工実績データとの偏差量をグラフィカルに表示することで、人が見て直感的に比較できるように工夫されており、対象データの単位もしくは割合で表示する。
【００５３】
また、比較対象データとは、例えば、送り速度、送り速度オーバーライド値、主軸の負荷電流値、振動値、気温、ワーク温度、音圧レベル等である。図５に示した例は、比較対象データとして、送り速度を選択した場合の例であり、その他の比較データを選択することもできる。
【００５４】
また、新人運転員の加工実績データを蓄積すれば、熟練者の実績データと新人運転員の実績データとを比較することもできるため、技能差を定量的に示すことができ、技能伝承の手段としても使うことができる。
【００５５】
また、上述した比較作業は、安全上の観点から、一度、人が加工条件値を確認する事としているが、条件値の高い方を採用する方法や、全て熟練運転員の条件値とする方法等の、自動的に比較する方法も可能である。
【００５６】
人による比較作業については、ＮＣプログラムの行単位で行い、送り速度値や送り速度オーバーライド値を画面上で確認しながら値を調整する。値は元データのままとしても良く、また、実績データとしても良い。
【００５７】
さらに、その間の値や、それ以外の任意の値でも設定することができる。
【００５８】
比較作業が終了した時は、画面上の修正終了ボタン１０３Ａを押し、修正処理部５へ処理結果データを渡す。
【００５９】
修正処理部５では、データ比較部４の結果を基に、送り速度値や送り速度オーバーライド値などの加工情報を書換える。このとき、加工情報を識別するための、ＮＣプログラム番号等ユニークな番号や、修正回数、修正日時もあわせて加工情報に記録する。
【００６０】
これにより、このデータを用い、不具合が起きた場合などに、データの追跡調査を容易とすることができる。書換え終了後は、加工情報ＤＢ６へ保存される。
【００６１】
加工情報ＤＢ６に蓄積された、加工情報４０２は、加工方案・指示から、ＣＡＤ／ＣＡＭ、ＮＣデータまで含むものをいい、この情報を基にＣＡＤ／ＣＡＭシステム１０１によってＮＣプログラム１１を生成する。
【００６２】
このとき、加工情報４０２をＣＡＤ／ＣＡＭシステム１０１へ渡すための手段が加工情報読出し部７である。加工情報読出し部７はＣＡＤ／ＣＡＭ１０１にデータを円滑に渡すために、カスタマイズされており、加工プロセス監視システム１００とのインターフェースとなっている。
【００６３】
上述した例は、加工情報読出し部７は、加工プロセス監視システム１００内にあり、実行操作も加工プロセス監視システム１００から行い、対象ＣＡＤ／ＣＡＭシステム１０１に合わせたフォーマットのデータに変換し、対象ＣＡＤ／ＣＡＭシステム１０１のデータベースに転送している例である。
【００６４】
本発明は、上述した例に限らず、加工情報読出し部７が、ＣＡＤ／ＣＡＭシステム１０１側にアドインし、実行操作をＣＡＤ／ＣＡＭシステム１０１側から行う例にも適用可能である。
【００６５】
初期の加工情報は、経験上の実績値など、机上で検討された値が設定されており、加工プロセス情報４０１が無い場合でも、ＣＡＤ／ＣＡＭシステム１０１によるＮＣプログラム１１の生成は可能である。
【００６６】
この加工実績の無い、初期の加工情報に基づいて生成されたＮＣプログラム１１は、情報書込み部１２によって、一旦、加工情報ＤＢ６に保存される。この情報書込み部１２は、加工プロセス監視システム１００から独立した、単独のソフトウェアでも良い。
【００６７】
加工情報ＤＢ６に保存されているＮＣプログラムを用いて加工すると、同時に対象設備１０２のＰＬＣ部１から情報収集子局２や情報収集基地局３を介して、加工プロセス情報が、加工情報ＤＢ６に集められる。
【００６８】
そして、データ比較部４や修正処理部５により、加工プロセス情報として吸い上げられたデータは、高効率加工条件を再定義された加工情報として作成される。この作成された加工情報に基づいて、ＣＡＤ／ＣＡＭシステム１０１によりＮＣプログラム１１が生成され、上述と同様にして、一旦、加工情報ＤＢ６に保存される。
【００６９】
ＣＡＤ／ＣＡＭシステム１０１で生成されたＮＣプログラム１１は、データ送信部１３によって、監視対象設備１０２の数値制御部１４に転送される。このデータ送信部１３は市販のデータ転送ソフトを用いても良い。
【００７０】
以上のように、本発明によれば、初期設定時の加工プログラムの加工条件では、設定し得ない、熟練者の加工設定条件（個々の機器の特質、使用環境状況等により決定される条件）を実際の熟練者の条件設定を行うことで取得し、これを記憶して、初期加工条件と比較するために両加工条件を、ＮＣプログラムの推移と対応して表示する。
【００７１】
そして、両加工条件を比較して、生産加工効率が高い加工条件を選択して、その条件となるように、ＮＣプログラムを修正する。以降は、修正されたＮＣプログラムに従って、加工を実行すれば、熟練者によらずとも、高効率な加工を行うことができる。
【００７２】
なお、加工プロセス監視システム１００及びＣＡＤ/ＣＡＭシステム１０１と、監視対象生産設備１０２とは、同一工場内に配置される場合に適用することができるのみならず、監視対象生産設備１００のみ工場内にあり、加工プロセス監視システム１００及びＣＡＤ/ＣＡＭシステム１０１は、その工場内ではない他の場所に位置していてもよい。
【００７３】
また、複数の監視対象生産設備１００に対して、一つの加工プロセス監視システム１００及びＣＡＤ/ＣＡＭシステム１０１が、インターネット等の双方向通信可能な電気通信回線を介して接続され、加工条件の修正等を行うこともできる。
【図面の簡単な説明】
【００７４】
【図１】本発明の一実施形態である加工プロセス監視システムの概略構成図である。
【図２】本発明の一実施形態において１６進数の加工プロセス情報を２進数に展開して、ビット毎の内容を示した表である。
【図３】情報収集基地局の機器構成図である。
【図４】加工情報ＤＢで扱う情報を示す図である。
【図５】データ比較部での処理状況を示す表示画面の一例を示す図である。
【符号の説明】
【００７５】
１              ＰＬＣ部
２              情報収集子局
３              情報収集基地局
４              データ比較部
５              修正処理部
６              加工情報ＤＢ
７              加工情報読出し部
８              加工情報
１１            ＮＣプログラム
１２            情報書込み部
１３            データ送信部
１４            数値制御部
１５            サーボモータ
１６            アクチュエータ
１７            操作パネル
１８            センサ
１９            運転員
１００          加工プロセス監視システム
１０１          ＣＡＤ／ＣＡＭシステム
１０２          監視対象設備
１０３          表示画面
３００          ボックス
３０１          収集機器
３０２          無線ユニット
３０３          分岐台
３０４          有線接続端子台
３０５          ＬＡＮ接続ポート
３０６          パワーサプライ
４０１          加工プロセス情報
４０２          加工情報
４０３          ＮＣプログラム
【図１】
0004806517.tif 000002
【図２】
0004806517.tif 000003
【図３】
0004806517.tif 000004
【図４】
0004806517.tif 000005
【図５】
0004806517.tif 000006